(57)【特許請求の範囲】
【請求項１】
キー群が配置されているキー配置面と、スピーカが配置されているスピーカ配置面とを備えるキーボードと、
表示面と、前記キーボードを装着するための装着部とを備えた表示装置と
を具備し、
前記キーボードは、扁平であり、前記キーボードの厚さ方向の一方側に前記キー配置面を備え、前記厚さ方向の他方側に前記スピーカ配置面を備え、
前記装着部は、前記キー配置面と前記表示面とが同じ方向を向く第１状態と、前記スピーカ配置面と前記表示面とが同一平面となるように配置されて同じ方向を向く第２状態とにおいて、前記キーボードを装着する
情報処理システム。
【請求項２】
請求項１の情報処理システムにおいて、
前記キーボードは、キーボード側無線通信部を備え、
前記表示装置は、前記キーボード側無線通信部との間で無線による通信を行う表示装置側無線通信部を備えることを特徴とする情報処理システム。
【請求項３】
情報処理部と、該情報処理部からの出力を表示する表示部とを有する第１のユニットと、
ユーザの操作により前記第１のユニットに情報を入力する情報入力部を第１の面側に有するとともに、前記第１の面の反対側に位置する第２の面に前記第１のユニットから送出された音声情報を再生するスピーカを有する第２のユニットとを備え、
前記第２のユニットは前記第１のユニットに着脱自在であり、前記第１のユニットに装着された前記第２のユニットは、前記第１の面が前記表示部の表示面側を向く第１の装着状態と、前記第２の面が前記表示部の表示面と同一平面となるように配置されて同じ方向を向く第２の装着状態との少なくとも２つの装着状態をとれることを特徴とする情報処理システム。
【請求項４】
請求項３の情報処理システムにおいて、
前記第２のユニットは、第２のユニット側無線通信部を備え、
前記第１のユニットは、前記第２のユニット側無線通信部との間で無線による通信を行う第１のユニット側無線通信部を備えることを特徴とする情報処理システム。
【請求項５】
情報処理部を有する第１のユニットと、
前記第１のユニットからの出力を表示する表示部を有する第２のユニットと、
ユーザの操作により前記第１のユニットに情報を入力する情報入力部を第１の面側に有するとともに、前記第１の面の反対側に位置する第２の面に前記第１のユニットから送出された音声情報を再生するスピーカを有する第３のユニットとを備え、
前記第３のユニットは前記第２のユニットに着脱自在であり、前記第２のユニットに装着された前記第３のユニットは、前記第１の面が前記表示部の表示面側を向く第１の装着状態と、前記第２の面が前記表示部の表示面と同一平面となるように配置されて同じ方向を向く第２の装着状態との少なくとも２つの装着状態をとれることを特徴とする情報処理システム。
【請求項６】
請求項５の情報処理システムにおいて、
前記第３のユニットは、第３のユニット側無線通信部を備え、
前記第１のユニットは、前記第３のユニット側無線通信部との間で無線による通信を行う第１のユニット側無線通信部を備えることを特徴とする情報処理システム。
【発明の詳細な説明】
【技術分野】
【０００１】
本発明は、情報処理システムに関する。
【背景技術】
【０００２】
従来より、パーソナルコンピュータ等の情報処理システムを机上等に設置する際に、省スペース化を図るための発明がなされている。例えば、特開2006-18789号公報（特許文献１）には、ディスプレイの足台にキーボードを収納することにより省スペース化を図ることが開示されている。この従来技術では、キーボードは、足台に格納された状態において、机上とほぼ平行であるため、机上に立てられたディスプレイを如何に薄くできたとしても、机上の省スペース化をキーボードが阻害してしまう。
【特許文献１】特開2006-18789号公報
【発明の開示】
【発明が解決しようとする課題】
【０００３】
本発明の目的は、省スペース化が実現される情報処理システムを提供することである。
【０００４】
本発明の他の目的は、複数の構成部分を備え、各構成部分を自由に配置することが可能な情報処理システムを提供することである。
【課題を解決するための手段】
【０００５】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００６】
本発明による情報処理システムは、キー群（１２ａ）が配置されているキー配置面（１０ａ）と、スピーカ（１４ａ）が配置されているスピーカ配置面（１０ｂ）とを備えるキーボード（１）と、表示面（２１ａ）と、前記キーボードを装着するための装着部（２２）とを備えた表示装置（２）とを具備している。ここで、前記キーボードは、扁平であり、前記キーボードの厚さ方向の一方側に前記キー配置面を備え、前記厚さ方向の他方側に前記スピーカ配置面を備える。そして、前記装着部は、前記キー配置面と前記表示面とが同じ方向を向く第１状態と、前記スピーカ配置面と前記表示面とが同じ方向を向く第２状態とにおいて、前記キーボードを装着する。
【０００７】
また、本発明による情報処理システムは、キー群（１２ａ）が配置されているキー配置面（１０ａ）と、キーボード側無線通信部（１０１）と、スピーカ（１４ａ）が配置されているスピーカ配置面（１０ｂ）とを備えるキーボード（１）と、表示部（２１）と、前記キーボード側無線通信部との間で無線による通信を行う表示装置側無線通信部とを備えた表示装置（２）とを具備している。ここで、前記キーボードは、扁平であり、前記キーボードの厚さ方向の一方側に前記キー配置面を備え、前記厚さ方向の他方側に前記スピーカ配置面を備える。
【０００８】
また、本発明による情報処理システムは、キーボード（１）と、前記キーボードの裏側（１０ｂ）に配置されているスピーカ（１４ａ）とを具備している。
【発明の効果】
【０００９】
本発明によれば、省スペース化が実現される情報処理システムが提供される。
【００１０】
また、本発明によれば、複数の構成部分を備え、各構成部分を自由に配置することが可能な情報処理システムが提供される。
【発明を実施するための最良の形態】
【００１１】
添付図面を参照して、本発明による情報処理システムを実施するための最良の形態を以下に説明する。
【００１２】
本発明の実施の形態に係る情報処理システム１００を図１に示す。情報処理システム１００は、キーボード１と、表示装置２と、マウス３と、スタンド４とを備えている。図１に示す状態においては、キーボード１と、マウス３と、スタンド４とは、卓上面７０１上に置かれており、表示装置２はスタンド４に取り付けられている。
【００１３】
キーボード１の外観を図２（ａ）及び（ｂ）に示す。キーボード１は、扁平な形状をしているキーボード筐体１０を備えている。キーボード筐体１０は、その厚さ方向の一方側にキー配置面１０ａを備え、他方側にスピーカ配置面１０ｂを備えている。キー配置面１０ａは、スピーカ配置面１０ｂの反対側に位置し、本実施の形態では、キー配置面１０ａとスピーカ配置面１０ｂとは、互いに平行であり、互いに反対の方向を向いている。キーボード１は、キー群１２ａと、例えば、トラックパッドのようなポインティングデバイス１３とをキー配置面１０ａに備えている。キーボード１は、スピーカ配置面１０ｂの面全体にスピーカ１４ａを備えている。
【００１４】
キーボード１は、キー配置面１０ａ及びスピーカ配置面１０ｂの周縁部を囲むようにキーボード筐体１０に取り付けられている枠状部材１１を備えている。枠状部材１１とキーボード筐体１０の間には隙間が形成されている。枠状部材１１は、キー配置面１０ａと同じ方向を向いている第１コネクタ配置面１１ａをキー配置面１０ａと同じ側に備えており、スピーカ配置面１０ｂと同じ方向を向いている第２コネクタ配置面１１ｂをスピーカ配置面１０ｂと同じ側に備えている。キーボード１は、第１コネクタ１５１を第１コネクタ配置面１１ａに備えており、第２コネクタ１５２を第２コネクタ配置面１１ｂに備えている。また、キーボード１は、枠状部材１１の所定の位置に磁石１６を備えている。キーボード１は、キーボード筐体１０と枠状部材１１とを含む全体として扁平な形状をしている。
【００１５】
表示装置２の外観を図３（ａ）、（ｂ）、及び（ｃ）に示す。表示装置２は、表示装置筐体正面２０ａと表示装置筐体正面２０ａの反対側に配置される表示装置筐体背面２０ｂとを有する表示装置筐体２０を備えている。表示装置筐体２０は、図３（ｂ）に示すように、表示装置筐体正面２０ａと表示装置筐体背面２０ｂの間隔が表示装置筐体上部２０ｃにおいて狭く表示装置筐体下部２０ｄにおいて広い楔形状をしている。表示装置筐体２０は、表示装置筐体下部２０ｄの容積が表示装置筐体上部２０ｃの容積に比べて大きいため、表示装置筐体２０内に機器を設置したときに表示装置２の重心を低くしやすい。したがって、表示装置２は、スタンド４に取り付けた状態においても、スタンド４に取り付けずに卓上に設置した状態においても、転倒しにくい。
【００１６】
表示装置２は、表示部２１が表示をする表示面２１ａを表示装置筐体正面２０ａに備えている。ここで、表示部２１に液晶ディスプレイのようなパネル型のディスプレイを用いれば、表示装置筐体正面２０ａと表示装置筐体背面２０ｂの間隔を狭くして表示装置２を薄くすることができる。
【００１７】
表示装置２は、キーボード１を装着するための装着部２２を表示装置筐体下部２０ｄに備えている。装着部２２は、板形状をしており、表示面２１ａに平行な装着部第１部材２２１と、板形状をしており、表示面２１ａに垂直な装着部第２部材２２２とを備えている。ここで、装着部第１部材２２１は、表示装置筐体下部２０ｄに固着されており、表示面２１ａが向いている方向と同じ方向を向いている係止面２２１ａを有している。装着部第２部材２２２は、係止面２２１ａに固着されている。表示装置２は、キーボード１を装着部２２に装着したときに二次電池１５を充電するために使用するコネクタ２５１を係止面２２１ａに備えている。また、表示装置２は、所定の位置にキーボード検出器２９を備えている。キーボード検出器２９は、一例としてホール効果素子を用いた磁束センサを備えており、磁石１６による磁束を検知することで、スピーカ配置面１０ｂと表示面２１ａとが同じ方向を向いている状態でキーボード１が装着部２２に装着されたことを検出する。
【００１８】
表示装置２は、表示装置２をスタンド４に取り付けるための取り付け用部材２３を備えている。取り付け用部材２３は、軸部２４を介して表示装置筐体背面２０ｂに回動可能に連結されている。取り付け用部材２３は、軸部２４に取り付けられている基部２３１と、表示装置２をスタンド４に取り付ける際にスタンド４と係合する端部２３２と、基部２３１と端部２３２とを連結している板形状の中間部２３３とを備えている。軸部２４は、表示装置筐体背面２０ｂの中央部分に固着されている。
【００１９】
中間部２３３は、その厚さ方向の一方側に中間部第１面２３３ａを備え、他方側に中間部第２面２３３ｂを備えている。図３（ｂ）に示す使用形態においては、中間部第２面２３３ｂと表示装置筐体背面２０ｂとが対向して合わされており、端部２３２が表示装置筐体上部２０ｃに接近している。図３（ｂ）に示す使用形態は、表示装置２をスタンド４に取り付けて使用するときの形態である。表示装置筐体背面２０ｂは、表示装置筐体背面２０ｂと表示装置筐体正面２０ａの間隔が表示装置筐体上部２０ｃにおいて狭く表示装置筐体下部２０ｄにおいて広くなるように表示装置筐体正面２０ａに対して傾斜している。このため、図３（ｂ）に示す形態において、端部２３２は、表示装置筐体正面２０ａに接近している。したがって、端部２３２を後述する表示装置取り付け部４３に取り付けると、表示装置２の重心が端部２３２の真下近くに来るから、表示装置２は、スタンド４に取り付けたときに安定する。
【００２０】
図３（ｃ）に示す使用形態は、取り付け用部材２３を図３（ｂ）に示す形態から軸部２４まわりに回動させて、中間部第１面２３３ａと表示装置筐体背面２０ｂとが離れた状態で向かい合うようにした状態である。図３（ｃ）に示す使用形態は、表示装置２をスタンド４に取り付けずに、装着部２２と取り付け用部材２３とを表示装置２の脚として使用して表示装置２を卓上面７０１上に置いた状態である。
【００２１】
マウス３の外観を図４（ａ）、（ｂ）、及び（ｃ）に示す。マウス３は、マウス筐体上面３０ａとマウス筐体背面３０ｂとを有するマウス筐体３０を備えている。マウス３は、リモコン操作部３２及び光学式センサ３４をマウス筐体背面３０ｂに備えている。リモコン操作部３２は、オーディオビジュアル機能選択キー３２ａ、再生キー３２ｂ、及びカーソル移動キー３２ｃを含む複数のキーを有しており、各キーの操作に基づいて入力信号を出力する。光学式センサ３４は、発光部３４ａと受光部３４ｂとを備え、マウスパッドの表面や卓上面のような基準面に対するマウス筐体３０の移動を光学的に検出して移動検出信号として出力する。マウス３は、マウス左ボタン３１ａと、マウス右ボタン３１ｂと、ホイール３１ｃとを含むマウス操作部３１をマウス筐体上面３０ａに備えている。マウス操作部３１は、マウス左ボタン３１ａ、マウス右ボタン３１ｂ、ホイール３１ｃの操作に基づく入力信号を出力する。
【００２２】
つぎに、スタンド４について図１を用いて説明する。スタンド４は、台座部４１と、支柱部４２と、表示装置取り付け部４３とを備えている。支柱部４２は、板形状をしており、支柱部４２の基部に台座部４１が取り付けられており、支柱部４２の端部に表示装置取り付け部４３が取り付けられている。表示装置２は、端部２３２が表示装置取り付け部４３と係合することで、スタンド４に取り付けられる。
【００２３】
キーボード１のブロック図を図５に示す。キーボード１は、無線通信部１０１と、キー操作部１２と、ポインティングデバイス１３と、音声出力部１４と、二次電池１５と、第１コネクタ１５１と、第２コネクタ１５２とを備えている。無線通信部１０１は、後述する無線通信部２０１との間で赤外線又は電波による無線通信をおこなう。キー操作部１２は、無線通信部１０１に接続されており、キー群１２ａの操作に基づいて文字等を示す入力信号を出力する。ポインティングデバイス１３は、無線通信部１０１に接続されている。音声出力部１４は、無線通信部１０１に接続されており、スピーカ１４ａから音声を出力する。二次電池１５は、キー操作部１２、ポインティングデバイス１３、音声出力部１４、及び無線通信部１０１に電力を供給する。二次電池１５は、第１コネクタ１５１と第２コネクタ１５２とに接続されている。
【００２４】
表示装置２のブロック図を図６に示す。表示装置２は、表示部２１と、演算制御部２５と、記憶部２６と、放送電波受信部２７と、無線通信部２０１と、電源部２８と、コネクタ２５１と、キーボード検出器２９とを備えている。表示部２１、記憶部２６、放送電波受信部２７、キーボード検出器２９、及び無線通信部２０１の各々は、演算制御部２５に接続されている。表示部２１は、表示面２１ａに文字や画像を表示する。演算制御部２５は、キー操作部１２、ポインティングデバイス１３、キーボード検出器２９、マウス操作部３１、リモコン操作部３２、及び光学式センサ３４からの信号に基づいて音声出力部１４、表示部２１、記憶部２６、放送電波受信部２７を制御する。記憶部２６は、メモリやハードディスク装置、または、光ディスク装置を備えている。放送電波受信部２７は、映像信号と音声信号とを含むテレビジョン放送を受信する。電源部２８は、表示部２１、演算制御部２５、記憶部２６、放送電波受信部２７、キーボード検出器２９、及び無線通信部２０１に電力を供給する。電源部２８は、コネクタ２５１に接続されている。無線通信部２０１は、無線通信部１０１及び無線通信部３０１との間で赤外線又は電波による無線通信をおこなう。表示装置２は、表示部２１を備える情報処理システム１００の表示装置であると同時に、演算制御部２５を備える情報処理システム１００の本体である。
【００２５】
マウス３のブロック図を図７に示す。マウス３は、マウス操作部３１、リモコン操作部３２、制御部３３、光学式センサ３４、姿勢センサ３５、無線通信部３０１、及び図示しない電源部を備えている。マウス操作部３１、リモコン操作部３２、光学式センサ３４、姿勢センサ３５、及び無線通信部３０１の各々は、制御部３３に接続されている。図示しない電源部は、マウス操作部３１、リモコン操作部３２、制御部３３、光学式センサ３４、姿勢センサ３５、無線通信部３０１に電力を供給する。無線通信部３０１は、マウス操作部３１、リモコン操作部３２、制御部３３、及び光学式センサ３４が出力した信号を、赤外線又は電波を用いる無線通信により無線通信部２０１に送信する。姿勢センサ３５は、ジャイロや加速度センサ等の姿勢検出手段を有しており、マウス筐体３０の姿勢を検出して姿勢検出信号を出力する。制御部３３は、姿勢検出信号に基づいて、マウス３を光学式マウスとして使用するマウスモード、又はマウス３をリモコンとして使用するリモコンモードを選択する。制御部３３は、マウス筐体背面３０ｂが下向きであることを示す姿勢検出信号に基づいてマウスモードを選択し、マウス筐体背面３０ｂが上向きであることを示す姿勢検出信号に基づいてリモコンモードを選択する。制御部３３は、マウスモードを選択した場合には、マウス操作部３１が出力した入力信号と光学式センサ３４が出力した移動検出信号とを無線通信部３０１に送信させ、リモコン操作部３２が出力した入力信号を無線通信部３０１に送信させない。制御部３３は、リモコンモードを選択した場合には、リモコン操作部３２が出力した入力信号を無線通信部３０１に送信させ、マウス操作部３１が出力した入力信号と光学式センサ３４が出力した移動検出信号とを無線通信部３０１に送信させない。さらに、制御部３３は、リモコンモードを選択した場合には、発光部３４ａに発光させないことで節電する。
【００２６】
本発明の実施の形態に係る情報処理システム１００の動作について図１を用いて説明する。キーボード１は、キー配置面１０ａを上に向けた状態で卓上面７０１上に置かれている。ここで、キーボード１に収納式の脚を備えれば、キー配置面１０ａを使いやすい角度に傾けることができる。マウス３はマウス筐体背面３０ｂを下向きにして卓上面７０１上に置かれている。このとき、マウスモードが選択されている。情報処理システム１００の図１に示す使用形態は、文書作成プログラムを利用して文書を作成するときに好適である。ユーザがキー群１２ａを操作して文字を入力すると、キー操作部１２は、キー群１２ａから入力された文字に基づく入力信号を出力する。無線通信部１０１は、この入力信号を無線により送信する。無線通信部２０１は無線により送信された入力信号を受信して演算制御部２５に伝送する。演算制御部２５は、伝送された入力信号に対応する文字を表示部２１に表示させる。また、ユーザがマウス３を卓上面７０１に沿って移動させると、光学式センサ３４は、マウス筐体３０の卓上面７０１に対する移動を検出して移動検出信号を出力する。制御部３３は、無線通信部３０１にこの移動検出信号を無線により送信させる。無線通信部２０１は無線通信部３０１から無線により送信された移動検出信号を受信して演算制御部２５に伝送する。演算制御部２５は、表示面２１ａに表示されているカーソルを伝送された移動検出信号に基づく距離だけ画面上を移動させるように表示部２１を制御する。
【００２７】
つぎに、本発明の実施の形態に係る情報処理システム１００の動作について図８を用いて説明する。装着部２２は、スピーカ配置面１０ｂと表示面２１ａとが同じ方向を向いている状態で、キーボード１を装着している。このとき、装着部第２部材２２２は、枠状部材１１とキーボード筐体１０の間の隙間に挿入されており、キーボード１が落下しないように支持している。また、係止面２２１ａは、キー配置面１０ａや第１コネクタ配置面１１ａのようなキーボード１のキー群１２ａが配置されている側の係止面と当接することで、スピーカ配置面１０ｂと表示面２１ａとが同じ方向を向いた状態で、且つ、表示面２１ａとスピーカ配置面１０ｂとが同一平面を形成する状態でキーボード１を係止する。さらに、装着部２２がスピーカ配置面１０ｂと表示面２１ａとが同じ方向を向いている状態でキーボード１を装着したときには、第１コネクタ１５１とコネクタ２５１とが接続され、電源部２８からコネクタ２５１と第１コネクタ１５１とを介して供給される電力により二次電池１５が充電される。図８に示す状態においては、キーボード検出器２９は、磁石１６が発生する磁束を検知することにより、スピーカ配置面１０ｂと表示面２１ａとが同じ方向を向いた状態でキーボード１が装着部２２に装着されたことを検出する。スピーカ配置面１０ｂと表示面２１ａとが同じ方向を向いている状態は、情報処理システム１００を用いてテレビジョン放送を視聴するのに好適である。なお、ユーザは、キーボード１を表示装置２に装着せずに別の場所に設置して、表示面２１ａに表示される映像を見ながら、表示装置２とは異なる場所からスピーカ１４ａが出力する音声を聴くこともできる。
【００２８】
情報処理システム１００を用いてテレビジョン放送を視聴するときの各部の動作について説明する。放送電波受信部２７によって受信処理された映像信号及び音声信号は、それぞれ演算制御部２５の制御のもとに、表示部２１に供給されて２１ａに映像表示され、音声出力部１４に供給されてスピーカ１４ａから音声出力される。このとき、音声信号は、無線通信部２０１と無線通信部１０１との間の無線通信を介して音声出力部１４に供給される。ユーザが、マウス３のマウス筐体背面３０ｂを下向きにした状態でリモコン操作部３２の所定のキーを操作すると、この操作に基づく入力信号が無線通信部３０１から無線により送信される。無線通信部２０１は、無線通信部３０１から無線により送信された入力信号を受信して演算制御部２５に伝送する。演算制御部２５は伝送された入力信号に基づいて、音声出力部１４にスピーカ１４ａが出力する音声の音量を調節させる等する。
【００２９】
また、スピーカ配置面１０ｂと表示面２１ａとが同じ方向を向いた状態でキーボード１が装着部２２に装着されている状態においては、情報処理システム１００をオーディオビジュアル装置として使用してもよい。このときの動作について図９を用いて説明する。ユーザがマウス３のオーディオビジュアル機能選択キー３２ａを操作すると、表示部２１は記憶部２６に格納されているオーディオビジュアルファイルのファイル名をマトリックス状に配列して表示面２１ａに表示する（図９（ａ）参照）。ここで、オーディオビジュアルファイルとは、音声付き動画ファイルや楽曲ファイルのような映像情報や音声情報を含んでいるファイルのことである。ユーザは、カーソル移動キー３２ｃを操作して表示面２１ａが表示しているカーソル２１１を画面の上下左右に移動して、表示されているファイル名から一のファイル名を選択する。図９（ｂ）に示す例では、「音声付き動画ファイル３」が選択されている。次いで、一のファイル名が選択されている状態でユーザが再生キー３２ｂを操作すると、表示部２１は選択された一のファイル名に対応しているオーディオビジュアルファイルに含まれている映像情報を表示面２１ａに映像表示し、音声出力部１４はこのオーディオビジュアルファイルに含まれている音声情報をスピーカ１４ａから音声出力する。
【００３０】
上述の説明においては、ユーザがオーディオビジュアル機能選択キー３２ａを操作した場合に表示部２１はオーディオビジュアルフィルのファイル名を表示面２１ａに表示しているが、その代わりに、次の場合にファイル名を表示することとしても良い。キーボード検出器２９は、スピーカ配置面１０ｂと表示面２１ａとが同じ方向を向いた状態でキーボード１が装着部２２に装着されたことを検出してキーボード検出信号を出力する。演算制御部２５は、キーボード検出信号に基づき、記憶部２６に格納されているオーディオビジュアルファイルのファイル名をマトリックス状に配列して表示部２１に表示させる。
【００３１】
また、装着部２２は、キー配置面１０ａと表示面２１ａとが同じ方向を向いている状態で、キーボード１を装着することも可能である。このときも、装着部第２部材２２２は、枠状部材１１とキーボード筐体１０の間の隙間に挿入されており、キーボード１が落下しないように支持している。また、係止面２２１ａは、スピーカ配置面１０ｂや第２コネクタ配置面１１ｂのようなキーボード１のスピーカ１４ａが配置されている側の係止面と当接することで、キー配置面１０ａと表示面２１ａとが同じ方向を向いた状態で、且つ、表示面２１ａとキー配置面１０ａとが同一平面を形成する状態でキーボード１を係止する。このとき、第２コネクタ１５２とコネクタ２５１とが接続され、電源部２８からコネクタ２５１と第２コネクタ１５２を介して供給される電力により二次電池１５が充電される。キー配置面１０ａと表示面２１ａとが同じ方向を向いた状態でキーボード１が装着部２２に装着されている場合においては、キー群１２ａからのキー入力により情報処理システム１００を操作することが容易である。
【００３２】
また、本発明の実施の形態に係る情報処理システム１００は、スタンド４の代わりに取り付け具５を用いて壁に掛けることができる。情報処理システム１００を壁掛け式とした場合を図１０に示す。取り付け具５は、取り付け具５を壁面７０２に対して固定するための固定用部材５１と、端部２３２と係合して表示装置２を取り付けるための表示装置取り付け部５２とを備えている。
【００３３】
本発明においては、キーボードの裏側にスピーカを設けることと、マウスの裏側にリモコンのキーを設けることとにより、省スペース化が実現される。通常、キーボードの使用中にはスピーカが必要とされることは少なく、音楽や映画の鑑賞中やテレビの視聴中にはキーボードから文字を入力することは少ない。したがって、キーボードの裏側にスピーカを配置することにより、必要とする機能のみがユーザに提供され、必要とされない機能はユーザから目立たないところに隠される。また、マウスは、通常、文書を作成したり、表計算ソフトを使用したり、図形を描いたり、ブラウザを用いてウエブページを閲覧するときに使用され、映画や音楽の鑑賞中やテレビの視聴中にはほとんど使用されない。マウスの裏側にリモコンのキーを設け、マウス筐体の姿勢によってマウスモードとリモコンモードとを選択的に切換えることにより、必要とされる機能のみがユーザに提供される。
なお、上述した実施の形態では、表示装置２に、演算制御部２５等の情報処理システム１００の本体機能が内蔵され、１つのユニットとしている形態を説明したが、この本体機能を別ユニットとすることもできる。
【図面の簡単な説明】
【００３４】
【図１】図１は、本発明の実施の形態に係る情報処理システムを示す図である。
【図２】図２は、本発明の実施の形態に係るキーボードの外観を示す図であり、図２（ａ）はキーボードの正面図であり、図２（ｂ）はキーボードの背面図である。
【図３】図３は、本発明の実施の形態に係る表示装置の外観を示す図であり、図３（ａ）は表示装置の正面図であり、図３（ｂ）は表示装置の一の使用形態における側面図であり、図３（ｃ）は表示装置の他の使用形態における側面図である。
【図４】図４は、本発明の実施の形態に係るマウスの外観を示す図であり、図４（ａ）はマウスの背面図であり、図４（ｂ）はマウスの側面図であり、図４（ｃ）はマウスの上面図である。
【図５】図５は、本発明の実施の形態に係るキーボードのブロック図である。
【図６】図６は、本発明の実施の形態に係る表示装置のブロック図である。
【図７】図７は、本発明の実施の形態に係るマウスのブロック図である。
【図８】図８は、本発明の実施の形態に係る情報処理システムにおいて、キーボードを装着した表示装置をスタンドに取り付けた状態を示す図であり、図８（ａ）は正面図であり、図８（ｂ）は側面図である。
【図９】図９は、本発明の実施の形態に係る情報方処理システムが表示する画面の一例を示す図であり、図９（ａ）は「音声付き動画ファイル１」がカーソルによって選択された状態を示し、図９（ｂ）は「音声付き動画ファイル３」がカーソルによって選択された状態を示す。
【図１０】図１０は、本発明の実施の形態に係る情報処理システムにおいて、キーボードを装着した表示装置を壁に掛けた状態を示す図である。
【符号の説明】
【００３５】
１００…情報処理システム
１…キーボード
１０…キーボード筐体
１０ａ…キー配置面
１０ｂ…スピーカ配置面
１１…枠状部材
１１ａ…第１コネクタ配置面
１１ｂ…第２コネクタ配置面
１２…キー操作部
１２ａ…キー群
１３…ポインティングデバイス
１４…音声出力部
１４ａ…スピーカ
１５…二次電池
１６…磁石
１０１…無線通信部
１５１…第１コネクタ
１５２…第２コネクタ
２…表示装置（本体）
２０…表示装置筐体
２０ａ…表示装置筐体正面
２０ｂ…表示装置筐体背面
２０ｃ…表示装置筐体上部
２０ｄ…表示装置筐体下部
２１…表示部
２１ａ…表示面
２１１…カーソル
２２…装着部
２２１…装着部第１部材
２２１ａ…係止面
２２２…装着部第２部材
２３…取り付け用部材
２３１…基部
２３２…端部
２３３…中間部
２４…軸部
２５…演算制御部
２６…記憶部
２７…放送電波受信部
２８…電源部
２９…キーボード検出器
２０１…無線通信部
２５１…コネクタ
３…マウス
３０…マウス筐体
３０ａ…マウス筐体上面
３０ｂ…マウス筐体背面
３１…マウス操作部
３１ａ…マウス左ボタン
３１ｂ…マウス右ボタン
３１ｃ…ホイール
３２…リモコン操作部
３２ａ…オーディオビジュアル機能選択キー
３２ｂ…再生キー
３２ｃ…カーソル移動キー
３３…制御部
３４…光学式センサ
３４ａ…発光部
３４ｂ…受光部
３５…姿勢センサ
３０１…無線通信部
４…スタンド
４１…台座部
４２…支柱部
４３…表示装置取り付け部
５…取り付け具
５１…固定用部材
５２…表示装置取り付け部
７０１…卓上面
７０２…壁面
【図１】
0004584175.tif 000002
【図２】
0004584175.tif 000003
【図３】
0004584175.tif 000004
【図４】
0004584175.tif 000005
【図５】
0004584175.tif 000006
【図６】
0004584175.tif 000007
【図７】
0004584175.tif 000008
【図８】
0004584175.tif 000009
【図９】
0004584175.tif 000010
【図１０】
0004584175.tif 000011